(57)【特許請求の範囲】
【請求項１】
少なくとも３つの板状体で形成された胴体部と、前記胴体部の一方側に回路基板に設けられた被接続部に接続される接続部と、他方側に相手方コンタクトと接触される接触部を有するコンタクトにおいて、
前記接続部は、前記胴体部の各板状体の端部から延設された少なくとも３つの接続片で構成され、
前記少なくとも３つの接続片のうち少なくとも２つの接続片が、他の１つの接続片に沿うように屈曲されて延設されていることを特徴とするコンタクト。
【請求項２】
前記胴体部は、前記接続部側及び前記接触部側が開放された箱状又は筒状で形成されていることを特徴とする請求項１に記載のコンタクト。
【請求項３】
前記接続部は、貫通された孔で形成された前記被接続部に挿通できるように形成され、又は、基板表面に形成された表面実装用の前記被接続部に載置できるように形成されたことを特徴とする請求項１又は２に記載のコンタクト。
【請求項４】
少なくとも１つのコンタクトが装着されるコンタクト収容部が形成されたハウジングを有するリセプタクルであって、
前記コンタクト収容部には、少なくとも１つの前記請求項１〜３のいずれかに記載のコンタクトを有していることを特徴とするリセプタクル。
【請求項５】
請求項４に記載のリセプタクルと、前記リセプタクルと嵌合される相手方プラグとを有することを特徴とするコネクタ。
【発明の詳細な説明】
【技術分野】
【０００１】
本発明は、大きな電流を通電しても熱の発生を抑制することができるコンタクト、リセプタクル及びコネクタに関する。
【背景技術】
【０００２】
基板等の被装着部材に実装されたコンタクトを備えたコネクタとして、下記特許文献１に回路基板用電気コネクタの発明が開示されている。下記特許文献１に開示された回路基板用電気コネクタの発明は、相手接触子と接触する接触部と結線部とを有する接触子を、絶縁ハウジングに前記結線部が前記絶縁ハウジングの外部に突出するようにして配設してなり、前記結線部を回路基板のスルーホールに挿入して半田付け固定することによって該回路基板に装着される型の回路基板用電気コネクタにおいて、前記絶縁ハウジングは、前記相手接触部を受け入れる相手接触部受入穴と、該相手接触部受入穴と前記相手接触部の受入方向において連通していて前記接触子の前記接触部を配置するための接触部保持穴と、該接触部保持穴の前記相手接触部受入穴とは反対の側で且つその接触部保持穴とは前記相手接触部の受入方向を横切る方向においてずれた位置に配置され前記接触子の前記結線部を外部へ挿通させ且つその結線部を保持するための結線部保持溝と、前記接触部保持穴に対して前記相手接触部に受入方向を横切る方向に並置され前記接触部保持穴および前記結線部保持溝に連通する開口溝とを備えており、前記接触子には、前記接触部と前記結線部との連接部から前記接触部保持穴と前記開口溝にそって延びて、前記結線部保持溝および前記開口溝から前記接触部保持穴へのガス流を遮断する平板状部を有する遮断手段が設けられており、該遮断手段の平板状部の上下端部には、前記絶縁ハウジングの前記開口溝の対向壁面の各々に係合して前記接触子を前記絶縁ハウジングに対して保持させるための係止部が設けられている、としている。
【先行技術文献】
【特許文献】
【０００３】
【特許文献１】特公平０４−００４７０６号公報
【発明の概要】
【発明が解決しようとする課題】
【０００４】
上記特許文献１に開示されたコネクタに備えられたコンタクトでは、回路基板のスルーホールに挿入される結線部は、接触子の一部が延設されて形成されているため、その断面積は小さくなる。そのため、大きな電流を通電させると熱が発生してしまうため、小さな電流しか通電させることができないという課題がある。一方、熱の発生を抑え、大きな電流を流すようにすると、コンタクトを太くする必要があり、コンタクト及びコネクタが大型化するという課題がある。
【０００５】
本発明の目的は、大きな電流を通電させても熱の発生を抑制することができるコンタクト、リセプタクル及びコネクタを提供することにある。
【課題を解決するための手段】
【０００６】
上記課題を解決するために、本発明の第１の態様のコンタクトは、少なくとも３枚の板状体で形成された胴体部と、前記胴体部の一方側に回路基板に設けられた被接続部に接続される接続部と、他方側に相手方コンタクトと接触される接触部を有するコンタクトにおいて、前記接続部は、前記胴体部の各板状体の端部から延設された少なくとも３つの接続片で構成され、前記少なくとも３つの接続片のうち少なくとも２つの接続片が、他の１つの接続片に沿うように屈曲されて延設されていることを特徴とする。
【０００９】
また、第２の態様のコンタクトは、第１の態様のコンタクトにおいて、前記胴体部は、前記接続部側及び前記接触部側が開放された箱状又は筒状で形成されていることを特徴とする。
【００１０】
また、第３の態様のコンタクトは、第１又は第２の態様のコンタクトにおいて、前記接続部は、貫通された孔で形成された前記被接続部に挿通できるように形成され、又は、基板表面に形成された表面実装用の前記被接続部に載置できるように形成されたことを特徴とする。
【００１１】
また、本発明の一態様のリセプタクルは、少なくとも１つのコンタクトが装着されるコンタクト収容部が形成されたハウジングを有するリセプタクルであって、
前記コンタクト収容部には、少なくとも１つの前記第１〜第３のいずれかの態様のコンタクトを有していることを特徴とする。
【００１２】
また、本発明の一態様のコネクタは、上記態様のリセプタクルと、前記リセプタクルと嵌合される相手方プラグとを有することを特徴とする。
【発明の効果】
【００１３】
第１の態様のコネクタによれば、回路基板の被接続部と接続させる接続部を胴体部を構成する各辺から接続片をそれぞれ形成することで、回路基板の被接続部と接続される接続部の断面積を大きくすることができ、大きな電流を通電しても熱の発生を抑制することができる。
また、少なくとも３つの接続片を一箇所に集まるようにすることで、接続部を容易に被接続部に接続することができるようになる。
また、複数の板状体を組み合わせて形成された胴体部の端部からそれぞれ接続片が延設されることで、胴体部及び接続部を容易に形成することができる。
【００１６】
また、第２の態様のコンタクトによれば、胴体部を種々の形状とすることができ、設計の範囲を広げることができる。
【００１７】
第３の態様のコンタクトによれば、回路基板に形成された被接続部の形状に応じた接続部とすることができる。
【００１８】
本発明のリセプタクルによれば、第１〜第３のいずれかの態様の効果を奏するコンタクトを少なくとも１つ備えたリセプタクルを得ることができる。
【００１９】
本発明のコネクタによれば、上記リセプタクルの発明の効果を奏するコネクタを得ることができる。
【図面の簡単な説明】
【００２０】
【図１】図１Ａは実施形態に係るコネクタを構成するリセプタクルとプラグの嵌合前の状態を示す斜視図であり、図１Ｂは嵌合した状態を示す斜視図である。
【図２】図２Ａは実施形態に係るリセプタクルを示す斜視図であり、図２Ｂは他の方向から見た実施形態に係るリセプタクルを示す斜視図である。
【図３】図３は実施形態に係るリセプタクルを示し、図３Ａは平面図、図３Ｂは正面図、図３Ｃは一方から見た側面図、図３Ｄは底面図、図３Ｅは図３ＢのIIIE−IIIE線での断面図である。
【図４】図４Ａは実施形態に係る第１コンタクトを示す斜視図であり、図４Ｂは他の方向から見た実施形態に係る第１コンタクトを示す斜視図である。
【図５】図５は実施形態に係る第１コンタクトを示し、図５Ａは平面図、図５Ｂは一方から見た側面図、図５Ｃは正面図、図５Ｄは底面図、図５Ｅは図５ＣのVE−VE線での断面図である。
【図６】図６は実施形態に係るリセプタクルを回路基板に取り付けた状態を示し、図６Ａは斜視図、図６Ｂは他の方向から見た斜視図、図６Ｃは正面図、図６Ｄは一方から見た側面図、図６Ｅは図６ＣのVIE−VIE線での断面図である。
【図７】図７Ａは実施形態に係るプラグを示す斜視図であり、図４Ｂは他の方向から見た実施形態に係るプラグを示す斜視図である。
【図８】図８は実施形態に係るプラグを示し、図８Ａは平面図、図８Ｂは正面図、図８Ｃは一方から見た側面図、図８Ｄは底面図、図８Ｅは図８ＢのVIIIE−VIIIE線での断面図である。
【図９】図９Ａは変形例に係る第１コンタクトを示す斜視図であり、図９Ｂは他の方向から見た変形例に係る第１コンタクトを示す斜視図である。
【図１０】図１０は変形例に係る第１コンタクトを示し、図１０Ａは平面図、図１０Ｂは一方から見た側面図、図１０Ｃは正面図、図１０Ｄは底面図、図１０Ｅは図１０ＣのXE−XE線での断面図である。
【発明を実施するための形態】
【００２１】
以下、図面を参照して本発明の実施形態を説明する。但し、以下に示す実施形態は、本発明の技術思想を具体化するためのコンタクト、リセプタクル及びコネクタを例示するものであって、本発明をこれに特定することを意図するものではなく、特許請求の範囲に含まれるその他の実施形態のものにも等しく適応し得るものである。
【００２２】
［実施形態］
図１〜図８を参照して、実施形態に係るコネクタについて説明する。本発明の実施形態に係るコネクタ１０は、図１Ａ及び図１Ｂに示すように、実施形態の第１コンタクト２９及び第２コンタクト４３が装着されたリセプタクル１１と、このリセプタクル１１に嵌合される相手方のプラグ５０とで構成されている。また、リセプタクル１１及びプラグ５０は、各々が回路基板に取り付けられる。
【００２３】
まず、実施形態のリセプタクル１１について説明する。リセプタクル１１は、図２及び図３に示すように、複数のコンタクト２９、４３と、これらのコンタクト２９、４３が装着される複数のコンタクト収容部２８が形成されたリセプタクルハウジング１２と、リセプタクルハウジング１２を回路基板に取り付ける取付部材４９とで構成されている。
【００２４】
なお、複数のコンタクト２９、４３は、形状の異なるコンタクトが用いられ、実施形態では、第１コンタクト２９と第２コンタクト４３の２種類で構成されており、リセプタクルハウジング１２には、２本の第１コンタクト２９が両端に装着され、中央側に５本の第２コンタクト４３がそれぞれ装着されている。
【００２５】
リセプタクルハウジング１２は、樹脂材料で形成され、一方に複数のコンタクトが差し込まれる開口部１４，１５を有する前面１３と、相手方のプラグ５０に装着されたコンタクトが挿入される挿入部１７、１８を有する後面１６と、上面１９と、上面１９と対向し回路基板側に配置される底面２１と、一方の側面２２及び他方の側面２３とを有する低背な直方体状で構成されている。
【００２６】
また、リセプタクルハウジング１２の内部には、複数のコンタクト２９、４３がそれぞれ収容される複数のコンタクト収容部２８が形成されている。コンタクト収容部２８は、前面１３から後面１６に亘って貫通して形成されている。
【００２７】
リセプタクルハウジング１２の前面１３は、矩形状の面であって、複数のコンタクト２９、４３が差し込まれるための複数の開口部１４、１５が形成されている。この複数の開口部１４、１５は、両端に第１コンタクト２９が差し込まれる第１開口部１４を有し、また、中央部に第２コンタクト４３が差し込まれる５つの第２開口部１５を有している。なお、第１開口部１４は第２開口部１５に比べて大きく形成されている。この第１開口部１４及び第２開口部１５は、それぞれコンタクト収容部２８と繋がっている。
【００２８】
リセプタクルハウジング１２の後面１６は、矩形状の面であって、相手側の複数のコンタクトが挿入される複数の挿入部１７、１８が形成されている。この複数の挿入部１７、１８は、両端に第１コンタクト２９と接触される相手側のプラグのコンタクトが挿入される第１挿入部１７を有し、また、中央部に第２コンタクト４３と接触される相手側のプラグのコンタクトが挿入される５つの第２挿入部１８を有している。なお、第１挿入部１７は第２挿入部１８に比べて大きく形成されている。この第１挿入部１７及び第２挿入部１８は、それぞれ、コンタクト収容部２８と繋がっている。なお、リセプタクルハウジング１２は、相手側のプラグ５０と嵌合するために、前面１３側に比べ後面１６側の幅が狭くなっている。
【００２９】
リセプタクルハウジング１２の上面１９は、平坦な面となっており、後面１６側に比べ前面１３側の幅が広く形成されている。この前面１３側の広く形成された部分に、リセプタクルハウジング１２を回路基板に取り付ける取付部材４９が貫通される貫通孔２０が両側に形成されている。
【００３０】
リセプタクルハウジング１２の底面２１は、後面１６側に比べ前面１３側の幅が広く形成されており、前面１３側及び後面１６側のコンタクト収容部２８と対応する部分が開口されている。前面１３側の開口された部分は、装着された各コンタクトの接続部３５が配置される部分となる。
なお、前面１３側の広く形成された部分には、取付部材４９が貫通される貫通孔２０が上面１９から連通して形成されている。
【００３１】
リセプタクルハウジング１２の一方の側面２２及び他方の側面２３は、後面１６側のプラグ側と嵌合される嵌合部２４と、前面１３側の嵌合部２４より幅広な平坦な部分２７とで構成されている。また、嵌合部２４には、溝２５が形成されており、この溝２５により勘合されるプラグが案内される。なお、溝２５の一部が隆起した凸部２６となっており、嵌入したプラグの抜け止めがされるようになっている。
【００３２】
第１コンタクト２９は、図４及び図５に示すように、筒状の胴体部３０と、胴体部３０の一方側に回路基板に設けられた被接続部に接続される接続部３５と、胴体部３０の他方側に相手側のコンタクトと接触される接触部４０と、を有し、金属材料で一体に形成されている。
【００３３】
胴体部３０は、３つの板状体で囲まれた、断面がいわゆる「コ字状」に形成されている。胴体部３０は、上板部３１と、上板部３１の両端から下方に屈曲された一方の側板部３２及び他方の側板部３３とで構成されている。なお、実施形態では、上板部３１と対向する底の部分は開放されている。また、胴体部３０の一方の側板部３２及び他方の側板部３３の下側には、鉤部３４が形成されており、リセプタクルハウジング１２のコンタクト収容部２８に装着された場合に抜け止めされるようになっている。
【００３４】
接続部３５は、回路基板と接続される部分であり、胴体部３０の一方側の各辺の端部から延設された複数の接続片３６、３７、３８で形成されている。なお、実施形態の第１コンタクト２９では、胴体部３０が３枚の板状体で形成されているため、３本の接続片３６、３７、３８が胴体部３０からそれぞれ延設されている。これらの接続片としては、胴体部３０の上板部３１からは第１接続片３６が延設され、一方の側板部３２からは第２接続片３７が延設され、他方の側板部３３からは第３接続片３８が延設されている。
【００３５】
第１接続片３６は、胴体部３０の上板部３１の端部から延設された後、屈曲して下方に向かってさらに延設されている。なお、第１接続片３６は、胴体部３０の上板部３１の幅と略同じ幅で形成されている。
【００３６】
第２接続片３７は、胴体部３０の一方の側板部３２の端部から延設された後、第１接続片３６を越える位置で胴体部３０の中央側に屈曲され、その後、第１接続片３６に沿うように下方に延設されている。なお、胴体部３０の一方の側板部３２の端部には、第２接続片３７のほかに、突出された突出部３９が形成されている。この突出部３９は、第１コンタクト２９をリセプタクルハウジング１２のコンタクト収容部２８に差し込む際に押圧される部分となる。
【００３７】
第３接続片３８は、胴体部３０の他方の側板部３３の端部から延設された後、第１接続片３６を越える位置で胴体部３０の中央側に屈曲され、その後、第１接続片３６に沿うように下方に延設されている。そのため、第２接続片３７と第３接続片３８の構造は胴体部３０の中央部分を基準として対象となっている。なお、胴体部３０の他方の側板部３３の端部にも、他方の側板部３３の端部と同様に、突出部３９が形成されている。
【００３８】
そして、第１接続片３６、第２接続片３７及び第３接続片３８は、それぞれが一箇所に集まるようにされており、回路基板に形成された被接続部としての一箇所の孔に挿入できるようになっている。
【００３９】
接触部４０は、胴体部３０の他方側の端部であって、一方の側板部３２及び他方の側板部３３の端部から延設された一対の接触片４１で形成されている。この一対の接触片４１の間に相手側のコンタクトが挿入されて接触される。また、一対の接触片４１が対向する内側には、凸状の突起４２が形成されており、相手側のコンタクトとの接触を確実にすると共に、ワイピングの効果を得ることができる。
【００４０】
なお、第１コンタクトの接触片は、第２及び第３接触片は第１接触片を越えない位置から垂下され、一箇所に延設されていてもよい。
【００４１】
第２コンタクト４３は、図２及び図３に示すように、胴体部４４と、胴体部４４の一方側に回路基板に設けられた被接続部に接続される接続部４５と、他方側に相手方コンタクトと接触される接触部４０を有している。
【００４２】
第２コンタクト４３の胴体部４４は、コンタクト収容部２８に収容可能な形状であって、接続部４５と接触部４０とを繋ぐことができれば、任意の形状で形成することができる。なお、実施形態では、コ字状となっている。
【００４３】
第２コンタクト４３の接続部４５は、第１コンタクト２９の接続部４５と異なり、胴体部４４の一方の端部から延設された１本の接続片４６で構成されている。第２コンタクト４３の接触部４７は、第１コンタクト２９の接触部４７と同様に、胴体部４４の他方の端部から延設された一対の接触片４８で形成されている。
【００４４】
なお、第２コンタクト４３の大きさは第１コンタクト２９に比べて小型に形成されている。また、第２コンタクトは、上記の構成に限られず任意の構成のコンタクトを使用することができる。
【００４５】
また、リセプタクル１１の組立ては、図２及び図３を参照して、まず、各コンタクト２９、４３をリセプタクルハウジング１２へ装着させる。この装着は、リセプタクルハウジング１２の前面１３側の各開口部１４、１５から各コンタクト２９、４３の接触部４０、４７を先にして挿入することで行なわれる。その際、第１開口部１４に第１コンタクト２９が挿入され、第２開口部１５に第２コンタクト４３が挿入される。次に、取付部材４９をリセプタクルハウジング１２の貫通孔２０に上面１９側から挿通させて、組立てが完了する。
【００４６】
また、リセプタクル１１の回路基板７５への実装は、図６に示すように、回路基板７５に形成された複数の被接続部としての孔７６に、各コンタクト２９、４３の接続部３５、４５を挿入し、孔７６に設けられた金属部と接続部３５、４５とが半田付けされる。そして、リセプタクルハウジング１２に取り付けられた取付部材４９を回路基板７５に差し込むことにより、リセプタクル１１が回路基板７５に固定される。
【００４７】
このとき、第１コンタクト２９の接続部３５は、複数の接続片３６、３７、３８で構成されているが、この複数の接続片３６、３７、３８を１つの孔７６に挿入し、半田付けすることで、回路基板７５の一箇所の被接続部としての孔７６と接続することができる。このようにすることで、第１コンタクト２９は、接続部３５の断面積を大きく、すなわち太く形成することができ、また、接続部３５が、胴体部４４から平行して複数本の接続片が延設されて形成されているため、断面積が小さい箇所に大きな電流が流れることがなく、熱の発生を抑制することができる。
【００４８】
また、実施形態では、第１コンタクト２９を２本とし、第２コンタクト４３を５本用いた場合を説明したが、これに限らず、第１コンタクトを少なくとも１本用いるようにすることができる。そのため、すべてのコンタクトを第１コンタクトとすることもできる。
【００４９】
次に、リセプタクル１１と嵌合されるプラグ５０について図７及び図８を参照して説明する。プラグ５０は、複数のプラグコンタクト６６、７０と、これらプラグコンタクト６６、７０が装着されたプラグハウジング５１と、プラグハウジング５１を回路基板に取り付ける取付部材７４とで構成されている。
【００５０】
なお、複数のプラグコンタクト６６、７０は、リセプタクル１１側の第１コンタクト２９と接触される第１プラグコンタクト６６と第２コンタクト４３と接触される第２プラグコンタクト７０を有している。
【００５１】
プラグハウジング５１は、樹脂材料で形成され、一方に複数のプラグコンタクト６６、７０が突出される突出口５３、５４を有する前部５２と、プラグコンタクト６６、７０が差し込まれる差込口５８、５９を有する後部５７と、平坦な上部６０と、上部６０と対向し、回路基板側に配置される底部６２と、一方の側部６３及び他方の側部６４とを有する低背な直方体状に構成されている。
【００５２】
また、プラグハウジング５１の内部には、複数のプラグコンタクト６６、７０がそれぞれ収容される複数のプラグコンタクト収容部６５が形成されている。プラグコンタクト収容部６５は、前部５２から後部５７に亘って貫通するように形成されている。
【００５３】
プラグハウジング５１の前部５２は、矩形状の面であって、複数のプラグコンタクト６６、７０が突出される複数の突出口５３、５４が形成されている。この複数の突出口５３、５４は、両端に第１プラグコンタクト６６が突出される第１突出口５３と、中央部に第２プラグコンタクト７０が突出される５つの第２突出口５４と、を有している。なお、第１突出口５３は第２突出口５４に比べて大きく形成されている。この第１突出口５３及び第２突出口５４は、それぞれプラグコンタクト収容部６５と繋がっている。
【００５４】
また、前部５２には、両端の第１突出口５３のさらに外側に、一方の側部６３側及び他方の側部６４側がそれぞれ延設された囲い部５５が形成されており、嵌合されたリセプタクルハウジング１２の一方の側面２２及び他方の側面２３の嵌合部２４が囲まれるようにされている。
【００５５】
囲い部５５の一方の側部６３及び他方の側部６４の内側には、突起部５６がそれぞれ形成されており、リセプタクルハウジング１２の一方の側部６３及び他方の側部６４に形成された溝２５に嵌ることで、移動の際に案内される部分となっている。また、突起部５６は、リセプタクルハウジング１２の一方の側部６３及び他方の側部６４に形成された溝２５に形成された凸部２６と噛合わされることで、抜け止めがされるようになっている。
【００５６】
プラグハウジング５１の後部５７は、複数のプラグコンタクト６６、７０が差し込まれる複数の差込口５８、５９が形成されている。この複数の差込口５８、５９は、両端に第１プラグコンタクト６６が差し込まれる第１差込口５８を有し、また、中央部に第２プラグコンタクト７０が差し込まれる５つの第２差込口を有している。なお、第１差込口５８は第２差込口５９に比べて大きく形成されている。この第１差込口５８及び第２差込口５９は、それぞれ、プラグコンタクト収容部６５と繋がっている。
【００５７】
プラグハウジング５１の上部６０は、平坦な面となっており、前部５２側の一方の側部６３及び他方の側部６４がそれぞれ延設されて囲い部５５を構成している。また、上部６０の一方の側部６３側及び他方の側部６４側には、プラグハウジング５１を回路基板に取り付ける取付部材７４が貫通される貫通孔６１がそれぞれ形成されている。
【００５８】
プラグハウジング５１の底部６２は、後部５７が開放されており、装着された各プラグコンタクト６６、７０の回路基板と接続される接続部６８、７２（図７Ｂ参照）が突出されるようにされている。なお、底部６２の一方の側部６３側及び他方の側部６４側には、取付部材７４が貫通される貫通孔６１が上部６０から連通して形成されている。
【００５９】
プラグハウジング５１の一方の側部６３及び他方の側部６４は、それぞれ矩形状に形成された平坦な面となっている。
【００６０】
第１プラグコンタクト６６は、図７及び図８に示すように、コンタクト本体６７を有し、コンタクト本体６７の一方側に回路基板に設けられた被接続部に接続される接続部６８と、コンタクト本体６７の他方側にリセプタクル１１側の第１コンタクト２９の接触部４０と接触される接触部６９とを有し、金属材料で一体に形成されている。
【００６１】
接続部６８は、回路基板の被接続部と接続される部分であり、コンタクト本体６７の一方側がコンタクト本体６７の長手方向に対して、回路基板が配置される側、すなわち下方側に突出して形成されている。なお、第１プラグコンタクト６６の接続部６８は、一部で二股に分かれて形成されている（図７Ｂ参照）。
【００６２】
接触部６９は、コンタクト本体６７の他方側であって、コンタクト本体６７の長手方向に延設された板状体で形成されている。この板状体の接触部６９が、リセプタクル１１側の第１コンタクト２９の一対の接触片４１の間に挿入されて接触されるようになる。
【００６３】
第２プラグコンタクト７０は、図７及び図８に示すように、コンタクト本体７１を有し、コンタクト本体７１の一方側に回路基板に設けられた被接続部に接続される接続部７２と、胴体部４４の他方側にリセプタクル１１側の第２コンタクト４３の接触部４７と接触される接触部７３とを有し、金属材料で一体に形成されている。
【００６４】
また、第２プラグコンタクト７０の接続部７２は、第１プラグコンタクト６６の接続部６８と異なり１本で形成されている（図７Ｂ参照）。
【００６５】
なお、リセプタクル側の第２プラグコンタクトは、第１プラグコンタクトと比べ、接続部の構成と、大きさが異なるのみで、他の構成は、共通するので詳細な説明は省略する。
【００６６】
また、プラグ５０の組立ては、プラグハウジング５１の後部５７の各差込口５８、５９から、各プラグコンタクト６６、７０の接触部６９、７３側を先にして差し込むことで行なわれる。その際、第１差込口５８に第１プラグコンタクトが挿入され、第２差込口に第２プラグコンタクトが挿入される。次に、取付部材７４をプラグハウジング５１の貫通孔６１に上部６０側から挿通させて、組立てが完了する。
【００６７】
また、プラグの回路基板への実装は、リセプタクルの場合と同様に、基板に形成された複数の被接続部としての孔に、各コンタクトの接続部を挿入し、孔に設けられた金属部と接続部とが半田付けされる。また、プラグは、取付部材を回路基板に差し込むことにより、回路基板に固定される（図示省略）。
【００６８】
そして、実施形態のコネクタ１０は、上記のリセプタクルとプラグとを嵌合することで構成される。この嵌合は、リセプタクル１１の後面１６側と、プラグ５０の前部５２側とを対向させて、押圧することで、リセプタクル１１側の各コンタクト２９、４３と、プラグ５０側の各プラグコンタクト６６、７０とが接触し、嵌合される。この嵌合において、リセプタクルハウジング１２の一方の側面２２及び他方の側面２３に形成された各溝２５に、プラグハウジング５１の一方の側部６３及び他方の側部６４に形成された突起部５６が案内されて移動される。その際、リセプタクルハウジング１２の溝２５に形成された凸部２６をプラグハウジング５１の突起部５６が乗り越えることで、抜け止めがされる。以上により、リセプタクルとプラグの接続が完了する（図１参照）。
【００６９】
［変形例］
上記の実施形態のリセプタクル１１側の第１コンタクト２９では、接触部４０は３本の接触片３６〜３８により構成された場合を説明したが、これに限らず、胴体部の板状体の構造に応じて、２本とすることもでき、また、４本以上とすることもできる。以下、変形例として接続部に５本の接触片が形成された場合について説明する。
【００７０】
変形例の第１コンタクト７７は、図９及び図１０に示すように、筒状の胴体部７８と、胴体部７８の一方側に回路基板に設けられた被接続部に接続される接続部８５と、胴体部７８の他方側に相手側のコンタクトと接触される接触部４０と、を有し、金属材料で一体に形成されている。
【００７１】
胴体部７８は、５つの板状体で囲まれた筒状体で形成されている。胴体部７８は、上板部７９と、上板部７９の両端から下方に屈曲された一方の側板部８０及び他方の側板部８１と、一方の側板部８０の下端部を屈曲させて中央側に延設させた一方の底板部８３と、他方の側板部８１の下端部を屈曲させて中央側に延設させた他方の底板部８４と、で構成されている。このとき、一方の底板部８３と他方の底板部８４のそれぞれの端部は中央部で隣接するようにされ、筒状になっている。
【００７２】
また、胴体部７８の一方の側板部８０及び他方の側板部８１の下側には、一方の底板部８３及び他方の底板部８４が延設されていない部分に鉤部８２が形成されており、リセプタクルハウジング１２のコンタクト収容部２８に装着された場合に抜け止めされるようになっている。
【００７３】
接続部８５は、回路基板と接続される部分であり、胴体部７８の一方側の各辺の端部から延設された複数の接続片８６〜９０で形成されている。なお、変形例の第１コンタクト７７では、胴体部７８が５枚の板状体で形成されているため、５本の接続片８６〜９０が胴体部７８からそれぞれ延設されている。これらの接続片８６〜９０としては、胴体部７８の上板部７９からは第１接続片８６が延設され、一方の側板部８０からは第２接続片８７が延設され、他方の側板部８１からは第３接続片８８が延設され、一方の底板部８３からは第４接続片８９が延設され、他方の底板部８４からは第５接続片９０が延設されている。
【００７４】
変形例の第１接続片８６、第２接続片８７及び第３接続片８８は、実施形態の第１接続片８６、第２接続片及び第３接続片８８と共通するため、詳細な説明は省略する。
【００７５】
第４接続片８９は、第１接続片８６の手前側、すなわち第１接続片８６を越えない位置であって、胴体部７８の一方の底板部８３の他方の底板部８４と隣接する部分が第１接続片８６に沿うように下方に延設されている。
【００７６】
第５接続片９０は、第１接続片８６の手前側、すなわち第１接続片８６を越えない位置であって、胴体部７８の他方の底板部８４の一方の底板部８３と隣接する部分が第１接続片８６に沿うように下方に延設されている。
【００７７】
そして、第１接続片８６、第２接続片８７、第３接続片８８、第４接続片８９及び第５接続片９０は、それぞれが一箇所に集まるようにされており、回路基板に形成された一箇所の被接続部としての孔に挿入できるようになっている。
【００７８】
また、接触部９１は、上記実施形態の接触部９１と同様に、一対の接触片９２を有している。なお、他の構成は実施形態の接触部４７と共通するので詳細な説明は省略する。
【００７９】
したがって、変形例の第１コンタクトの接続部は、複数の接続片で構成されているが、この複数の接続片を１つの孔に挿入し、半田付けすることで、一箇所の回路基板の被接続部としての孔に接続することができる。このようにすることで、変形例の第１コンタクトは、実施形態の第１コンタクトより接続部の断面積を大きくすることができ、また、接続部が、胴体部から平行して複数本の接続片が延設されて形成されているため、断面積が小さい箇所に大きな電流が流れることがなく、熱の発生を抑制することができる。
【００８０】
なお、上記実施形態では、コンタクトは回路基板に形成された被接続部としての孔に取り付ける場合を説明したが、これに限らず、回路基板の表面に形成された被接続部としての端子部にコンタクトの接続部としての複数の接続片を載置させた後、半田付けをして接続させる、いわゆる表面実装とすることもできる。
【００８１】
また、実施形態及び変形例では、第１コンタクトの接続部の複数の接続片のすべてを一箇所に集めるようにしているが、これに限らず、例えば、３つの接続片のうち２つのみを一箇所に集め、１つの接続片と２つを集めた接続片のそれぞれを１つの被接続部に接続することもできる。また、例えば、５つの接続片のうち、２つの接続片と３つの接続片をそれぞれ集めるようにすることもできる。
【００８２】
また、実施形態及び変形例では、第１コンタクトの接続部の複数の接続片を１つの被接続部に接続しているが、これに限らず、複数の被接続部、接続片の数より少ない数の被接続部に接続することもできる。例えば、３つの接続片をそれぞれ分けて２つの被接続部に接続するようにしたり、５つの接続片をそれぞれ分けて２乃至４つの被接続部に接続したりすることもできる。
【符号の説明】
【００８３】
１０：コネクタ  １１：リセプタクル  １２：リセプタクルハウジング  １３：前面  １４：第１開口部  １５：第２開口部  １６：後面  １７：第１挿入部  １８：第２挿入部  １９：上面  ２０：貫通孔  ２１：底面  ２２：一方の側面  ２３：他方の側面  ２４：嵌合部  ２５：溝  ２６：凸部  ２７：平坦な部分  ２８：コンタクト収容部  ２９：第１コンタクト  ３０：胴体部  ３１：上板部  ３２：一方の側板部  ３３：他方の側板部  ３４：鉤部  ３５：接続部  ３６：第１接続片  ３７：第２接続片  ３８：第３接続片  ３９：突出部  ４０：接触部  ４１：接触片  ４２：突起  ４３：第２コンタクト  ４４：胴体部  ４５：接続部  ４６：接続片  ４７：接触部  ４８：接触片  ４９：取付部材  ５０：プラグ  ５１：プラグハウジング  ５２：前部  ５３：第１突出口  ５４：第２突出口  ５５：囲い部  ５６：突起部  ５７：後部  ５８：第１差込口  ５９：第２差込口  ６０：上部  ６１：貫通孔  ６２：底部  ６３：一方の側部  ６４：他方の側部  ６５：プラグコンタクト収容部  ６６：第１プラグコンタクト  ６７：コンタクト本体  ６８：接続部  ６９：接触部  ７０：第２プラグコンタクト  ７１：コンタクト本体  ７２：接続部  ７３：接触部  ７４：取付部材  ７５：回路基板  ７６：孔  ７７：第１コンタクト  ７８：胴体部  ７９：上板部  ８０：一方の側板部  ８１：他方の側板部  ８２：鉤部  ８３：一方の底板部  ８４：他方の底板部  ８５：接続部  ８６：第１接続片  ８７：第２接続片  ８８：第３接続片  ８９：第４接続片  ９０：第５接続片  ９１：接触部  ９２：接触片
【図１】
0006406705.tif 000002
【図２】
0006406705.tif 000003
【図３】
0006406705.tif 000004
【図４】
0006406705.tif 000005
【図５】
0006406705.tif 000006
【図６】
0006406705.tif 000007
【図７】
0006406705.tif 000008
【図８】
0006406705.tif 000009
【図９】
0006406705.tif 000010
【図１０】
0006406705.tif 000011